(57)【要約】      （修正有）【課題】表示の選択の幅を増加させ、表示の変更を容易に行うことができるようにするとともに、非使用時にはできるだけコンパクトになるようにして搬送し易くし、機能性の向上を図り、また、生花や花環に比較しても見劣りすることなく、慶弔の意を強く印象付けることができるようにして、品質の向上を図る慶弔用花表示装置を提供する。【解決手段】生花Ｆを主とした被写体Ｗを撮像して得られる画像Ｇを表示した表示板１と、文字を表記した名札１０と、表示板１を起立させて支承可能で名札１０が取付けられる支承体２０とを備え、表示板１の表面１Ａ及び裏面１Ｂに、夫々、互いに異なる画像Ｇを表示し、支承体２０を、表示板１の表面１Ａ及び裏面１Ｂのいずれか一方を表出させるとともに表示板１を反転可能に支承可能に形成する。【選択図】図１０
0003197645.tif 000002
【実用新案登録請求の範囲】
【請求項１】
花を有した画像を表示した表示板と、該表示板を起立させて支承可能な支承体とを備えた慶弔用花表示装置であって、
上記表示板の表面及び裏面に、夫々、互いに異なる画像を表示し、上記支承体を、上記表示板の表面及び裏面の少なくともいずれか一方を表出させるとともに該表示板を反転可能に支承可能に形成したことを特徴とする慶弔用花表示装置。
【請求項２】
上記画像は、生花を主とした被写体を撮像して作成されることを特徴とする請求項１記載の慶弔用花表示装置。
【請求項３】
文字を表記した名札を備え、該名札を上記表示板の外側に露出させて上記支承体に着脱可能に取付けたことを特徴とする請求項１または２記載の慶弔用花表示装置。
【請求項４】
上記表示板を、矩形板状に形成し、その大きさを、縦１０００ｍｍ〜２０００ｍｍ、横７００ｍｍ〜１４００ｍｍにしたことを特徴とする請求項１乃至３何れかに記載の慶弔用花表示装置。
【請求項５】
上記表示板の面積をＳａ、上記画像における花の外側の点を順に結んだ外輪線で囲繞されて形成される花エリアの面積をＳｂとしたとき、Ｓｂ≧０．５Ｓａにしたことを特徴とする請求項４記載の慶弔用花表示装置。
【請求項６】
上記支承体を、上記表示板の表面及び裏面のいずれか一方を前側に表出させて該表示板の下縁を支承する下縁支承部と、該下縁支承部が設けられ該下縁支承部に支承された表示板の表面及び裏面のいずれか他方を後側から支承する面支承部と、該面支承部を支持する脚部とを備えて構成したことを特徴とする請求項１乃至５何れかに記載の慶弔用花表示装置。
【請求項７】
上記面支承部の横幅を、上記表示板の横幅よりも小さく形成したことを特徴とする請求項６記載の慶弔用花表示装置。
【請求項８】
上記下縁支承部を上記面支承部に対して上下方向に移動位置決め可能にしたことを特徴とする請求項７記載の慶弔用花表示装置。
【請求項９】
上記支承体を、折畳み可能にしたことを特徴とする請求項６乃至８何れかに記載の慶弔用花表示装置。
【請求項１０】
上記画像は、生花を主とした被写体を撮像して作成され、上記画像における生花の上端が上記表示板の上端に近接し且つ上記表示板の略中央に位置するように該画像を上記表示板に表示し、
文字を表記した名札を備え、該名札を、文字を表記する表記板と、該表記板が取付けられ下方に伸びる支柱とを備えて構成し、上記面支承部の上端部中央に上記名札の支柱を着脱可能に取り付ける名札取付部を設けたことを特徴とする請求項６乃至９何れかに記載の慶弔用花表示装置。
【請求項１１】
上記名札取付部を、上記名札の支柱をその軸線方向且つ垂直方向に沿ってスライド可能に保持するガイド部と、該ガイド部に対して上記支柱を所要の位置でロックするロック手段とを備えて構成したことを特徴とする請求項１０記載の慶弔用花表示装置。
【請求項１２】
上記表示板を、矩形板状の基板と、該基板の表裏面に夫々付設され該基板と略同じ大きさの一対の透明板と、上記基板と透明板との間に介装されるとともに上記画像が表示され上記基板と略同じ大きさの表示シートと、上記基板，透明板及び表示シートを重畳させた状態でこれらの外周縁部を保持するフレームとを備えて構成したことを特徴とする請求項１乃至１１何れかに記載の慶弔用花表示装置。
【請求項１３】
上記支承体を、上記表示板の表面及び裏面のいずれか一方を前側に表出させて該表示板の下縁を支承する下縁支承部と、該下縁支承部が設けられ該下縁支承部に支承された表示板の表面及び裏面のいずれか他方を後側から支承する面支承部と、該面支承部を支持する脚部とを備えて構成し、
上記面支承部を、上下方向に延び所定間隔で配置される１対の外側縦棒と、該１対の外側縦棒の上側間に架設される上側横棒とを備えて構成し、
上記脚部を、上記面支承部の各縦棒の下端に夫々一体に延設され接地される前側接地脚と、上記横棒に対して一端が前後方向に所要の範囲で回動移動可能に連結され他端が接地される後側接地脚とを備えて構成し、該後側接地脚の回動により該支承体を折畳み可能にしたことを特徴とする請求項１乃至１２何れかに記載の慶弔用花表示装置。
【請求項１４】
上記下縁支承部を、上記表示板の下縁を支承する支承面を有した棒状に形成し、該下縁支承部を上記１対の外側縦棒間に亘って設けたことを特徴とする請求項１３記載の慶弔用花表示装置。
【請求項１５】
上記面支承部を、上記１対の外側縦棒の下側に架設される下側横棒と、上記上側横棒の中央及び下側横棒の中央間に架設される中央縦棒とを備えて構成し、上記下縁支承部を上記面支承部に対して上下方向に移動位置決め可能に支持し、
文字を表記した名札を備え、該名札を、文字を表記する表記板と、該表記板が取付けられ下方に伸びる支柱とを備えて構成し、上記面支承部の上側横棒の中央若しくは中央縦棒の上端部に上記名札の支柱を着脱可能に取り付ける名札取付部を設け、該名札取付部を、上記名札の支柱をその軸線方向且つ垂直方向に沿ってスライド可能に保持するガイド部と、該ガイド部に対して上記支柱を所要の位置でロックするロック手段とを備えて構成したことを特徴とする請求項１４記載の慶弔用花表示装置。
【考案の詳細な説明】
【技術分野】
【０００１】
本考案は、慶事や葬儀において生花や花環等と同じように贈って供えることのできる慶弔用花表示装置に関する。
【背景技術】
【０００２】
従来から、慶事や葬儀には生花や花環を供えることを行っており、例えば、生花であれば生花が飾られた容器をスタンドに支持し、容器に生花とともに贈り主の氏名や会社名を手書きした名札を差し込んだものが式場などに置かれる。
ところで、このような生花においては、比較的価格も高く日持ちも短いことなどから、これに代わって例えば生花や花環の写真を表示するとともに贈り主の名前を表示する矩形の表示板と、この表示板に一体に設けられ表示板を起立させて支持する脚部とを備えた表示板装置が提案されている（例えば、実用新案登録第３０１９５６７号公報掲載）。また、表示板を透光性部材で形成し裏側に照明器を設けて夜間でも表示板の表示が浮かび上がるようにした表示板装置も提案されている（例えば、特開平１０−２５６０９号公報掲載）。
【先行技術文献】
【特許文献】
【０００３】
【特許文献１】実用新案登録第３０１９５６７号公報
【特許文献２】特開平１０−２５６０９号公報
【考案の概要】
【考案が解決しようとする課題】
【０００４】
しかしながら、上記従来の表示板装置においては、表示が一義的なので、表示の選択の幅が狭いという問題があった。また、表示を変更しようとすると、表示板の表示の別なものと交換するが、前者の表示板装置においては表示板は脚部に一体になっており、後者の表示板装置においては嵌め込み式になっているので、交換が煩雑になって作業性を損ねるという問題がある。更に、表示板は脚部に一体になっているので、持ち運びが煩雑になるという問題もある。特に、慶弔時にその数が多いと搬送が大変になる。また、従来の表示板装置においては、表示板に表示された花が比較的小さく、それだけ、生花や花環に比較してどうしても見劣りしてしまうという欠点もあった。
本考案は上記の問題点に鑑みて為されたもので、表示の選択の幅を増加させ、表示の変更を容易に行うことができるようにするとともに、非使用時にはできるだけコンパクトになるようにして搬送し易くし、機能性の向上を図った慶弔用花表示装置を提供することを目的とする。また、必要に応じ、生花や花環に比較しても見劣りすることなく、慶弔の意を強く印象付けることができるようにして、品質の向上を図ることを目的とした。
【課題を解決するための手段】
【０００５】
このような目的を達成するための本考案の慶弔用花表示装置は、花を有した画像を表示した表示板と、該表示板を起立させて支承可能な支承体とを備えた慶弔用花表示装置であって、上記表示板の表面及び裏面に、夫々、互いに異なる画像を表示し、上記支承体を、上記表示板の表面及び裏面の少なくともいずれか一方を表出させるとともに該表示板を反転可能に支承可能に形成した構成としている。画像は、例えば、撮像画像，これをコンピュータグラフィックにより加工が施されたもの等どのようなものでも良い。ここで、花とは、学術的な意味での花そのもの、若しくは、学術的意味での花をつけた茎や葉を含む植物をいう。画像は、例えば、撮像画像，これをコンピュータグラフィックにより加工を施したもの等どのようなものでも良い。表示体には、花のみが表示されても良く、花以外のものや文字などが表示されていても良い。
【０００６】
この慶弔用花表示装置を使用するときは、例えば、慶弔の式場などで、支承体を設置するとともに支承体に表示板を起立させて支承する。この場合、表示板を支承体に支承するだけで良いので、設置作業を極めて容易に行うことができる。表示板の表面及び裏面には、夫々、互いに異なる花の画像が表示されているので、いずれかの面を選択して支承体に支承することができる。そのため、表示の選択の幅が増加し、機能性を向上させることができる。また、表示を変えたいときには、表示板を反転して支承体に支承する。そのため、表示の変更を容易に行うことができ、この点でも機能性を向上させることができる。
【０００７】
表示板が支承体に支承された状態では、表示板には花の画像が表示されているので、見る者に慶弔の意を印象付けることができるようになる。また、生花や花環に比較して長期の表示が可能であり、また価格も低減させることができる。そして、非使用時には、表示板を支承体から下ろし、表示板と支承体とを分離して持ち運びすることができる。そのため、できるだけコンパクトになるようにして搬送し易くすることができ、また、保管も容易で、しかも繰り返しの使用を行うことができ、この点でも、機能性の向上を図ることができる。更に、生花や花環のように、その都度、廃棄する必要もないことから、省力化を図ることができ、環境上も好ましいものとなる。
【０００８】
そして、本考案では、上記画像は、生花を主とした被写体を撮像して作成されることが有効である。ここで、生花とは、生の花のことで、学術的な意味での生の花そのもの、若しくは、学術的意味での生の花をつけた茎や葉を含む生の植物をいう。生花を用いるので、臨場感があり、斬新で贈り主の個性や独創性等も伝達されることから、生花や花環と同等あるいはそれ以上に、見る者に慶弔の意を強く印象付けることができるようになる。
【０００９】
また、必要に応じ、文字を表記した名札を備え、該名札を上記表示板の外側に露出させて上記支承体に着脱可能に取付けた構成としている。贈り主の名前等を表示板とは別に表示できるので、文字での表示を容易に行うことができる。また、表示板に加工を施さなくても、名札の交換だけで良いことから、表示板の繰り返しの使用を行うことができる。
【００１０】
更に、必要に応じ、上記表示板を、矩形板状に形成し、その大きさを、縦１０００ｍｍ〜２０００ｍｍ、横７００ｍｍ〜１４００ｍｍにした構成としている。
これにより、表示板は比較的大きなものなので、生花や花環と比較しても同等あるいはそれ以上に、見る者に慶弔の意を強く印象付けることができるようになる。
【００１１】
更にまた、必要に応じ、上記表示板の面積をＳａ、上記画像における花の外側の点を順に結んだ外輪線で囲繞されて形成される花エリアの面積をＳｂとしたとき、Ｓｂ≧０．５Ｓａにした構成としている。望ましくは、Ｓｂ≧０．６Ｓａ、より望ましくは、Ｓｂ≧０．７Ｓａである。また、花エリアの中で学術的意味での花（花びら）の占有面積Ｓｃは、Ｓｃ≧０．５Ｓｂ、望ましくは、Ｓｃ≧０．６Ｓｂ、より望ましくは、Ｓｃ≧０．７Ｓｂである。
これにより、表示板には、花の画像が大きく表示されることになり、そのため、生花や花環に比較して見劣りすることがなく、それ以上に慶弔の意を強く印象付けることができるようにもなり、品質の向上を図ることができる。
【００１２】
また、必要に応じ、上記支承体を、上記表示板の表面及び裏面のいずれか一方を前側に表出させて該表示板の下縁を支承する下縁支承部と、該下縁支承部が設けられ該下縁支承部に支承された表示板の表面及び裏面のいずれか他方を後側から支承する面支承部と、該面支承部を支持する脚部とを備えて構成している。表示板の支承を容易に行うことができる。
【００１３】
この場合、上記面支承部の横幅を、上記表示板の横幅よりも小さく形成することができる。面支承部の左右が表示板で隠されるので、見栄えが良くなり、外観品質を向上させることができる。
【００１４】
また、上記下縁支承部を上記面支承部に対して上下方向に移動位置決め可能にすることができる。表示板の上下位置調整を行うことができ、花の画像を見易くさせることができる。また、面支承部の上端を覆い隠すようにもすることもでき、この点でも見栄えが良くなり、外観品質を向上させることができる。
【００１５】
更に、必要に応じ、上記支承体を、折畳み可能にした構成としている。設置が容易になるとともに、折畳むことにより、支承体をコンパクトにすることができ、より一層、搬送性や保管性を増すことができ、機能性の向上を図ることができる。
【００１６】
更にまた、必要に応じ、上記画像は、生花を主とした被写体を撮像して作成され、上記画像における生花の上端が上記表示板の上端に近接し且つ該生花が上記表示板の略中央に位置するように該画像を上記表示板に表示し、文字を表記した名札を備え、該名札を、文字を表記する表記板と、該表記板が取付けられ下方に伸びる支柱とを備えて構成し、上記面支承部の上端部中央に上記名札の支柱を着脱可能に取り付ける名札取付部を設けた構成としている。
これにより、名札の支柱を面支承部の上端中央に取付けると、支柱があたかも画像の生花から延びているように見え、より一層、生花や花環のようになって、それ以上に慶弔の意を強く印象付けることができるようにもなり、品質の向上を図ることができる。
【００１７】
この場合、上記名札取付部を、上記名札の支柱をその軸線方向且つ垂直方向に沿ってスライド可能に保持するガイド部と、該ガイド部に対して上記支柱を所要の位置でロックするロック手段とを備えて構成することができる。ロック手段のロック及びロック解除により、名札を容易に着脱できるので、作業性を向上させることができる。また、名札の支柱はスライドするので、名札の上下方向の位置調整を行うことができ、名札を画像との関係でバランスよい位置に位置決めすることができる。
【００１８】
そしてまた、必要に応じ、上記表示板を、矩形板状の基板と、該基板の表裏面に夫々付設され該基板と略同じ大きさの一対の透明板と、上記基板と透明板との間に介装されるとともに上記画像が表示され上記基板と略同じ大きさの表示シートと、上記基板，透明板及び表示シートを重畳させた状態でこれらの外周縁部を保持するフレームとを備えて構成している。作成が容易になるとともに、表示シートを差し替えることで、新しい花の画像を容易に提供することができる。
【００１９】
また、必要に応じ、上記支承体を、上記表示板の表面及び裏面のいずれか一方を前側に表出させて該表示板の下縁を支承する下縁支承部と、該下縁支承部が設けられ該下縁支承部に支承された表示板の表面及び裏面のいずれか他方を後側から支承する面支承部と、該面支承部を支持する脚部とを備えて構成し、上記面支承部を、上下方向に延び所定間隔で配置される１対の外側縦棒と、該１対の外側縦棒の上側間に架設される上側横棒とを備えて構成し、上記脚部を、上記面支承部の各縦棒の下端に夫々一体に延設され接地される前側接地脚と、上記横棒に対して一端が前後方向に所要の範囲で回動移動可能に連結され他端が接地される後側接地脚とを備えて構成し、該後側接地脚の回動により該支承体を折畳み可能にした構成としている。支承体をよりコンパクトにすることができる。
【００２０】
この場合、必要に応じ、上記下縁支承部を、上記表示板の下縁を支承する支承面を有した棒状に形成し、該下縁支承部を上記１対の外側縦棒間に亘って設けた構成としている。
【００２１】
更に、必要に応じ、上記面支承部を、上記１対の外側縦棒の下側に架設される下側横棒と、上記上側横棒の中央及び下側横棒の中央間に架設される中央縦棒とを備えて構成し、上記下縁支承部を上記面支承部に対して上下方向に移動位置決め可能に支持し、文字を表記した名札を備え、該名札を、文字を表記する表記板と、該表記板が取付けられ下方に伸びる支柱とを備えて構成し、上記面支承部の上側横棒の中央若しくは中央縦棒の上端部に上記名札の支柱を着脱可能に取り付ける名札取付部を設け、該名札取付部を、上記名札の支柱をその軸線方向且つ垂直方向に沿ってスライド可能に保持するガイド部と、該ガイド部に対して上記支柱を所要の位置でロックするロック手段とを備えて構成している。名札取付部を中央上部に設けたので、名札の支柱があたかも画像の生花から延びて見えるようにすることができる。
【考案の効果】
【００２２】
本考案によれば、表示板の表面及び裏面には、夫々、互いに異なる花の画像が表示されているので、いずれかの面を選択して支承体に支承することができる。そのため、表示の選択の幅が増加し、機能性を向上させることができる。また、表示を変えたいときには、表示板を反転して支承体に支承する。そのため、表示の変更を容易に行うことができ、この点でも機能性を向上させることができる。また、表示板が支承体に支承された状態では、表示板には花の画像が表示されているので、見る者に慶弔の意を印象付けることができるようになる、特に、画像を生花を主とした被写体を撮像して作成した場合には、生花を用いるので、臨場感があり、斬新で贈り主の個性や独創性等も伝達されることから、生花や花環と同等あるいはそれ以上に、見る者に慶弔の意を強く印象付けることができるようになる。また、生花や花環に比較して長期の表示が可能であり、また価格も低減させることができる。そして、非使用時には、表示板を支承体から下ろし、表示板と支承体とを分離して持ち運びすることができる。そのため、できるだけコンパクトになるようにして搬送し易くすることができ、また、保管も容易で、しかも繰り返しの使用を行うことができ、この点でも、機能性の向上を図ることができる。
【図面の簡単な説明】
【００２３】
【図１】本考案の実施の形態に係る慶弔用花表示装置を示す分解斜視図である。
【図２】本考案の実施の形態に係る慶弔用花表示装置を示し、表示板の表面を表出させた状態を示す斜視図である。
【図３】本考案の実施の形態に係る慶弔用花表示装置を示し、表示板の裏面を表出させた状態を示す斜視図である。
【図４】本考案の実施の形態に係る慶弔用花表示装置の表示板を示し、（ａ）は表面を示す正面図、（ｂ）は裏面を示す正面図である。
【図５】本考案の実施の形態に係る慶弔用花表示装置の表示板の構成を示す分解斜視図である。
【図６】本考案の実施の形態に係る慶弔用花表示装置の表示板の構造を示す部分横断面図である。
【図７】本考案の実施の形態に係る慶弔用花表示装置の支承体の要部を示す図１中Ｘ線視図である。
【図８】本考案の実施の形態に係る慶弔用花表示装置の支承体の別の要部を示す図１中Ｙ−Ｙ線断面図である。
【図９】本考案の実施の形態に係る慶弔用花表示装置の支承体の名札取付部を示す図１中Ｚ−Ｚ線要部断面図である。
【図１０】本考案の実施例に係る慶弔用花表示装置を示す正面図である。
【考案を実施するための形態】
【００２４】
以下、添付図面に基づいて、本考案の実施の形態に係る慶弔用花表示装置について詳細に説明する。
図１乃至図９には、本考案の実施の形態に係る慶弔用花表示装置Ｓを示している。この慶弔用花表示装置Ｓの基本的構成は、生花Ｆを主とした被写体Ｗを撮像して得られる画像Ｇを表示した表示板１と、文字を表記した名札１０と、表示板１を起立させて支承可能な且つ名札１０が取付けられる支承体２０とを備えてなる。実施の形態では、表示板１には、葬儀用の生花Ｆの画像Ｇが表示されている。
【００２５】
表示板１は，図１乃至図６に示すように、その表面１Ａ及び裏面１Ｂに、夫々、互いに異なる画像Ｇが表示されている。実施の形態では、表面１Ａ及び裏面１Ｂに、夫々、互いに被写体Ｗの生花Ｆの態様が異なる画像Ｇが表示されている。表面１Ａ及び裏面１Ｂにおいて、生花Ｆの態様が同じでも、例えば、背景を異ならせる画像Ｇであっても良い。詳しくは、表示板１は、矩形板状に形成されており、その大きさは、縦Ｌａを、Ｌａ＝１０００ｍｍ〜２０００ｍｍ、横Ｌｂを、Ｌｂ＝７００ｍｍ〜１４００ｍｍにしている。実施の形態では、例えば、Ｌａ＝１１００ｍｍ、Ｌｂ＝７６０ｍｍである。大きさはこれに限定されない。
【００２６】
また、表示板１は、図５及び図６に示すように、矩形板状の基板２と、基板２の表裏面に夫々付設され基板２と略同じ大きさの一対の透明板３と、基板２と透明板３との間に介装されるとともに生花Ｆを主とした被写体Ｗの画像Ｇが表示され基板２と略同じ大きさの表示シート４と、基板２，透明板３及び表示シート４を重畳させた状態でこれらの外周縁部を保持するフレーム５とを備えて構成されている。基板２は、例えば、金属製，樹脂製あるいは木製の板であり、実施の形態では、厚さ３ｍｍのアルミニウム板で形成されている。また、透明板３は、樹脂製あるいはガラス製の板であり、実施の形態では、厚さ２ｍｍのアクリル板で形成されている。表示シート４は、例えば、紙製の写真である。表面１Ａを構成する表示シート４に表示される画像Ｇと、裏面１Ｂを構成する表示シート４に表示される画像Ｇとは異なる。フレーム５は、例えば、金属製，樹脂製あるいは木製の枠体であり、実施の形態では、木製の枠体である。また、フレーム５は、横断面表裏の形状は対称に形成されており、例えば、幅Ｄａを、Ｄａ＝４０ｍｍ、厚さＤｂを、Ｄｂ＝３０ｍｍに形成され、内側に、基板２，透明板３及び表示シート４が重畳させられた状態で差し込まれる溝６が形成されている。フレーム５は、４つの辺部材５ａ，５ｂ，５ｃ，５ｄの端部を接着剤などで接合して形成されている。
【００２７】
そして、被写体Ｗは、生花Ｆと、生花Ｆが差し込まれた容器Ｂとを含み、画像Ｇにおける生花Ｆの上端が表示板１の上端のフレーム５に近接し且つ表示板１の略中央に位置するように、画像Ｇは表示シート４に表示され表示板１に表示されている。実施の形態では、容器Ｂは、上下に複数配置されてスタンドＴに支持されており、容器Ｂに差し込まれて支持された生花Ｆの花びらは、上からスタンドＴの下側に向けて比較的密に点在するようにしている。尚、表面１Ａの画像では容器Ｂは生花Ｆに隠れて視認できない。画像Ｇは、コンピュータグラフィックによって加工することができ、例えば、花びらの位置や数を変えることができる。そして、図４に示すように、表示板１の面積をＳａ、画像Ｇにおける被写体Ｗの外側の点であって生花Ｆの外側の点を順に結んだ外輪線Ｑで囲繞されて形成される花エリアＥの面積をＳｂとしたとき、Ｓｂ≧０．５Ｓａ、望ましくは、Ｓｂ≧０．６Ｓａ、より望ましくは、Ｓｂ≧０．７Ｓａに設定されている。また、花エリアＥの中で学術的意味での花（花びら）の占有面積Ｓｃは、Ｓｃ≧０．５Ｓｂ、望ましくは、Ｓｃ≧０．６Ｓｂ、より望ましくは、Ｓｃ≧０．７Ｓｂである。
【００２８】
名札１０は、木製であり、贈り主等の文字を表記する略矩形状の表記板１１と、表記板１１が取付けられ下方に伸びる支柱１２と、表記板１１の上端に設けられた山形の屋根１３とを備えて構成されている。表記板１１の大きさは、例えば、縦６００ｍｍ、幅２５０ｍｍに設定される。この名札１０は、表示板１の外側に露出させて支承体２０に着脱可能に取付けられる。実施の形態では、支承体２０の後述の名札取付部４０に取付けられ、表示板１の上端中央から突出して露出させられる。
【００２９】
支承体２０は、表示板１の表面１Ａ及び裏面１Ｂの少なくともいずれか一方を表出させるとともに表示板１を反転可能に支承可能に形成されている。詳しくは、支承体２０は、木製であり、図１，図７乃至図９に示すように、表示板１の表面１Ａ及び裏面１Ｂのいずれか一方を前側に表出させて表示板１の下縁を支承する下縁支承部２１と、下縁支承部２１が設けられ下縁支承部２１に支承された表示板１の表面１Ａ及び裏面１Ｂのいずれか他方を後側から支承する面支承部２２と、面支承部２２を支持する脚部２３とを備えて構成されている。面支承部２２の横幅は、表示板１の横幅よりも小さく形成されている。
【００３０】
面支承部２２は、上下方向に延び所定間隔で配置される１対の外側縦棒２４と、１対の外側縦棒２４の上側間に架設される上側横棒２５と、１対の外側縦棒２４の下側に架設される下側横棒２６と、上側横棒２５の中央及び下側横棒２６の中央間に架設される中央縦棒２７とを備えて構成されている。
脚部２３は、面支承部２２の各縦棒の下端に夫々一体に延設され接地される前側接地脚２８と、上側横棒２５に対して中央縦棒２７を介して一端が前後方向に所要の範囲で回動移動可能に連結され他端が接地される後側接地脚２９とを備えて構成され、後側接地脚２９の回動により支承体２０を折畳み可能にしている。図１及び図７に示すように、後側接地脚２９の一端はヒンジ３０を介して中央縦棒２７に固定されている。また、中央縦棒２７と後側接地脚２９との間には、後側接地脚２９の回動範囲を規定する長さ調整可能なリンク３１が架設されている。リンク３１の一端は中央縦棒２７に軸支されている。また、リンク３１の中央には長手方向に沿う長孔３２が形成されており、この長孔３２には後側接地脚２９に突設されたボルト３３が挿通され、ボルト３３は後側接地脚２９の回動により相対的に長孔３２を移動する。ボルト３３には蝶ナット３４が螺合し、締め付けによりリンク３１を後側接地脚２９に固定する。
【００３１】
下縁支承部２１は、図１及び図８に示すように、表示板１の下縁を支承する支承面２１ａを有した棒状に形成されており、１対の外側縦棒２４間に亘って設けられているとともに、面支承部２２に対して上下方向に移動位置決め可能に支持されている。具体的には、下縁支承部２１には、中央縦棒２７を囲繞して摺動可能な摺動管３５が設けられ、この摺動管３５に螺合したボルト３６を緩めることにより摺動を許容し、締め付けることにより中央縦棒２７にロックされて位置決めされる。
【００３２】
また、面支承部２２の上端部中央には、図１及び図９に示すように、名札１０の支柱１２を着脱可能に取り付ける名札取付部４０が設けられている。この名札取付部４０は、中央縦棒２７の上端部に設けられ名札１０の支柱１２をその軸線方向且つ垂直方向に沿ってスライド可能に保持する筒状のガイド部４１と、ガイド部４１に対して支柱１２を所要の位置でロックするロック手段４２とを備えて構成されている。ロック手段４２は、ガイド部４１の壁部に支柱１２の軸線に直交する方向に形成した雌ネジ４３と、この雌ネジ４３に螺合する蝶ボルト４４とを備えて構成され、この蝶ボルト４４を緩めることにより支柱１２のスライドを許容し、締め付けることにより支柱１２を押圧してロックして位置決めする。雌ネジ４３及び蝶ボルト４４は、一対設けられている。
【００３３】
従って、この慶弔用花表示装置Ｓを使用するときは、例えば、葬儀の式場に設置する。図１乃至図３に示すように、支承体２０を設置するとともに支承体２０に表示板１を起立させて載置して支承する。この際、支承体２０は、後側接地脚２９を開くだけで前側接地脚２８とともに面支承部２２を支持して設置できるので、設置作業が容易であり、作業性を向上させることができる。また、表示板１を支承体２０に載置するだけで良いので、設置作業を極めて容易に行うことができ、この点でも作業性を向上させることができる。この場合、下縁支承部２１を面支承部２２に対して上下方向に移動位置決め可能にすることができるので、表示板１の上下位置調整を行うことができ、生花Ｆの画像Ｇを見易くさせることができる。また、面支承部２２の上端を覆い隠すようにもすることもでき、この点でも見栄えが良くなり、外観品質を向上させることができる。尚、表示板１が容易に落下しないように図示外のクランパで支承体２０に保持することができる。
【００３４】
そしてまた、この表示板１の載置においては、表示板１の表面１Ａ及び裏面１Ｂには、夫々、互いに被写体Ｗの生花Ｆの態様が異なる画像Ｇが表示されているので、いずれかの面を選択して支承体２０に載置することができる。そのため、表示の選択の幅が増加し、機能性を向上させることができる。また、表示を変えたいときには、表示板１を反転して支承体２０に支承する。そのため、表示の変更を容易に行うことができ、この点でも機能性を向上させることができる。更に、贈り主の名前等を書した名札１０を用意し、これを名札取付部４０に取付ける。この場合、ロック手段４２のロック及びロック解除により、名札１０を容易に着脱できるので、作業性を向上させることができる。また、名札１０の支柱１２は名札取付部４０に対してスライドするので、名札１０の上下方向の位置調整を行うことができ、名札１０を画像Ｇとの関係でバランスよい位置に位置決めすることができる。
【００３５】
表示板１が支承体２０に支承された状態では、表示板１には生花Ｆの画像Ｇが表示されているので、臨場感があり、斬新で贈り主の個性や独創性等も伝達されることから、生花や花環と同等あるいはそれ以上に、見る者に慶弔の意を強く印象付けることができるようになる、また、生花や花環に比較して長期の表示が可能であり、また価格も低減させることができる。名札１０においては、贈り主の名前等を表示板１とは別に表示できるので、文字での表示を容易に行うことができる。
【００３６】
特に、表示板１は、矩形板状に形成され、比較的大きなものなので、生花や花環と比較しても同等あるいはそれ以上に、見る者に慶弔の意を強く印象付けることができるようになる。また、表示板１の面積Ｓａに対して画像Ｇにおける被写体Ｗの外側の点であって生花Ｆの外側の点を順に結んだ外輪線Ｑで囲繞されて形成される花エリアＥの面積Ｓｂが、Ｓｂ≧０．５Ｓａになっているので、表示板１には、生花Ｆの画像Ｇが大きく表示されることになり、そのため、臨場感があり、生花や花環に比較して見劣りすることがなく、それ以上に慶弔の意を強く印象付けることができるようにもなり、品質の向上を図ることができる。
【００３７】
更に、面支承部２２の横幅が、表示板１の横幅よりも小さく形成されているので、面支承部２２の左右を表示板１で隠すことができ、それだけ、見栄えが良くなり、外観品質を向上させることができる。更にまた、名札１０はその支柱１２が面支承部２２の上端中央に取付けられているので、支柱１２があたかも画像Ｇの生花Ｆから延びているように見える。そのため、より一層、生花や花環のようになって、それ以上に慶弔の意を強く印象付けることができるようにもなり、この点でも品質の向上を図ることができる。
【００３８】
そして、非使用時には、名札１０を取り外すとともに表示板１を支承体２０から下ろす。この場合にも、作業を容易に行うことができる。また、表示板１と支承体２０とは分離し、支承体２０は折畳むことによりコンパクトにすることができるので、できるだけコンパクトになるようにして搬送し易くすることができるとともに、保管も容易になり、機能性の向上を図ることができる。また、経年変化が少ないので繰り返しの使用を行うことができ、また、表示板１に加工を施さなくても、名札１０の交換だけで再使用できることから、表示板１の繰り返しの使用を行うことができ、この点でも、機能性の向上を図ることができる。更に、生花や花環のように、その都度、廃棄する必要もないことから、省力化を図ることができ、環境上も好ましいものとなる。
【実施例】
【００３９】
図１０には、本発明の実施例を示す。本実施例においては、被写体Ｗは、容器（図では隠されて視認できない）に生けられた生花Ｆであり、これを撮像して、この撮像データをコンピュータグラフィックによって加工した画像Ｇを表示板１に表示している。臨場感が創出されていることが分かる。
【００４０】
尚、上記実施の形態において、表示板１には葬儀用の生花Ｆの画像Ｇを表示したが、必ずしもこれに限定されるものではなく、結婚式や各種お祝いの為の生花Ｆの画像Ｇであっても良く、適宜変更して差支えない。また、画像Ｇにおいては、生花Ｆ以外に、容器ＢやスタンドＴが含まれているが、必ずしもこれに限定されるものではなく、生花Ｆのみを表示して良く、適宜変更して差支えない。更に、生花Ｆの撮像画像に限らず、絵画やイラストなどから作成されるどのような花の画像でも良く、その形態も種々に設定して良い。また、画像は、表示板１に印刷などで表示しても良く、適宜変更してよい。更にまた、支承体２０や名札１０の構成も、上記に限定されるものではない。例えば、支承体２０は、表示板１の表面１Ａ及び裏面１Ｂの両方が見えるように保持するような形態のものでも良い。
【産業上の利用可能性】
【００４１】
本考案の慶弔用花表示装置によれば、祝意や弔意を表示できる斬新な製品であり、贈り主の個性や独創性等も伝達されることから、生花や花環と同等あるいはそれ以上に、慶弔の意を強く印象付けることができ、また、比較的低価格で繰り返し使用可能で無駄がなく、旧来からある生花や花環に代わって、慶弔の際の汎用製品として、普及，発展が期待でき、産業上においても多大の貢献をするものと思われる。
【符号の説明】
【００４２】
Ｓ  慶弔用花表示装置
Ｆ  生花
Ｗ  被写体
Ｂ  容器
Ｔ  スタンド
Ｇ  画像
１  表示板
１Ａ  表面
１Ｂ  裏面
２  基板
３  透明板
４  表示シート
５  フレーム
１０  名札
１１  表記板
１２  支柱
１３  屋根
２０  支承体
２１  下縁支承部
２２  面支承部
２３  脚部
２７  中央縦棒
４０  名札取付部
４１  ガイド部
４２  ロック手段
【図１】
0003197645.tif 000003
【図２】
0003197645.tif 000004
【図３】
0003197645.tif 000005
【図４】
0003197645.tif 000006
【図５】
0003197645.tif 000007
【図６】
0003197645.tif 000008
【図７】
0003197645.tif 000009
【図８】
0003197645.tif 000010
【図９】
0003197645.tif 000011
【図１０】
0003197645.tif 000012